【手続補正書】
【提出日】平成28年6月6日(2016.6.6)
【手続補正１】
【補正対象書類名】特許請求の範囲
【補正対象項目名】全文
【補正方法】変更
【補正の内容】
【特許請求の範囲】
【請求項１】
遊技を演出する演出手段と、
記憶手段を含んで構成された演出制御手段と、
を備えた遊技台であって、
前記演出制御手段は、複数種類の演出情報から演出情報を選択可能な制御手段であり、
前記演出情報とは、前記演出手段に実行させる演出に対応する情報のことであり、
前記演出制御手段は、前記記憶手段に記憶されている前記演出情報に基づいて前記演出手段を制御可能な制御手段であり、
前記演出制御手段は、選択した前記演出情報を前記記憶手段に記憶させることが可能な制御手段であり、
前記記憶手段には、複数の前記演出情報（以下、「複数の演出情報」という。）が記憶されている場合があり、
前記記憶手段に記憶されている前記複数の演出情報のうちの一の演出情報が前記演出制御手段によって該記憶手段から削除されることで、該一の演出情報に対応する演出が行われない場合があり、
前記演出手段とは、画像を表示可能な画像表示手段であり、
前記演出手段に実行させる演出とは、前記画像表示手段に表示させる大当り予告表示のことである、
ことを特徴とする遊技台。
【請求項２】
請求項１に記載の遊技台であって、
前記演出制御手段は、前記記憶手段に記憶されている前記演出情報に対応する演出を前記演出手段に行わせる前に、該演出情報を該記憶手段から削除した場合に、削除した該演出情報に対応する演出を該演出手段に行わせない、
ことを特徴とする遊技台。
【請求項３】
請求項１または請求項２に記載の遊技台であって、
複数種類の前記演出情報が記憶された演出情報記憶手段を備え、
前記演出制御手段は、前記演出情報記憶手段を含んで構成されており、
前記演出制御手段は、前記演出情報記憶手段に記憶されている複数種類の演出情報から１の前記演出情報を選択する処理（以下、「演出選択処理」という。）を実行可能に構成されている、
ことを特徴とする遊技台。
【請求項４】
請求項３に記載された遊技台であって、
前記演出選択処理は、乱数抽選に当選した場合に、前記演出情報記憶手段に記憶されている複数種類の演出情報から特定の演出情報を選択する処理である、
ことを特徴とする遊技台。
【請求項５】
請求項１乃至請求項４のいずれか一項に記載の遊技台であって、
主制御手段を備え、
前記演出制御手段は、前記主制御手段からのコマンドに応じて、前記演出手段に演出を行わせるように構成されている、
ことを特徴とする遊技台。
【請求項６】
請求項１乃至請求項５のいずれか一項に記載の遊技台であって、
前記演出制御手段は、複数の制御基板から構成されている、
ことを特徴とする遊技台。
【請求項７】
請求項１乃至請求項６のいずれか一項に記載の遊技台であって、
図柄の変動表示を実行可能な図柄表示手段と、
前記図柄表示手段による図柄の変動表示の開始の際に、装飾図柄の変動表示を開始する装飾図柄表示手段と、を備え、
前記演出手段とは、前記装飾図柄表示手段のことである、
ことを特徴とする遊技台。
【請求項８】
請求項７に記載された遊技台であって、
前記遊技台は、ぱちんこ機である、
ことを特徴とする遊技台。
【手続補正２】
【補正対象書類名】明細書
【補正対象項目名】０００７
【補正方法】変更
【補正の内容】
【０００７】
本発明に係る遊技台は、遊技を演出する演出手段と、記憶手段を含んで構成された演出制御手段と、を備えた遊技台であって、前記演出制御手段は、複数種類の演出情報から演出情報を選択可能な制御手段であり、前記演出情報とは、前記演出手段に実行させる演出に対応する情報のことであり、前記演出制御手段は、前記記憶手段に記憶されている前記演出情報に基づいて前記演出手段を制御可能な制御手段であり、前記演出制御手段は、選択した前記演出情報を前記記憶手段に記憶させることが可能な制御手段であり、前記記憶手段には、複数の前記演出情報（以下、「複数の演出情報」という。）が記憶されている場合があり、前記記憶手段に記憶されている前記複数の演出情報のうちの一の演出情報が前記演出制御手段によって該記憶手段から削除されることで、該一の演出情報に対応する演出が行われない場合があり、前記演出手段とは、画像を表示可能な画像表示手段であり、前記演出手段に実行させる演出とは、前記画像表示手段に表示させる大当り予告表示のことである、ことを特徴とする遊技台である。
【手続補正３】
【補正対象書類名】明細書
【補正対象項目名】０４５１
【補正方法】変更
【補正の内容】
【０４５１】
本例に係る遊技台は、遊技を演出する演出手段（例えば、図１に示す装飾図柄表示装置１１０）と、記憶手段（例えば、図３に示すＲＡＭ３５８）を含んで構成された演出制御手段（例えば、図３に示す演出制御部３５０や図４に示す各種照明基板）と、を備えた遊技台であって、前記演出制御手段は、複数種類の演出情報（例えば、図２１に示す予告ＴＣ情報）から演出情報を選択可能な制御手段であり、前記演出情報とは、前記演出手段に実行させる演出に対応する情報のことであり、前記演出制御手段は、前記記憶手段に記憶されている前記演出情報に基づいて前記演出手段を制御可能な制御手段であり、前記演出制御手段は、選択した前記演出情報を前記記憶手段に記憶させることが可能な制御手段であり、前記記憶手段には、複数の前記演出情報（以下、「複数の演出情報」という。）が記憶されている場合があり、前記記憶手段に記憶されている前記複数の演出情報のうちの一の演出情報が前記演出制御手段によって該記憶手段から削除されることで、該一の演出情報に対応する演出が行われない場合があり、前記演出手段とは、画像を表示可能な画像表示手段であり、前記演出手段に実行させる演出とは、前記画像表示手段に表示させる大当り予告表示のことである、ことを特徴とする遊技台である。
本例に係る遊技台によれば、大当り予告演出に関わる演出情報の容量を抑えつつ、大当り予告演出のバリエーションを増やすことができる場合がある。
なお、前記演出制御手段は、前記記憶手段に記憶されている前記演出情報に対応する演出を前記演出手段に行わせる前に、該演出情報を該記憶手段から削除した場合に、削除した該演出情報に対応する演出を該演出手段に行わせないものでもよい。また、複数種類の前記演出情報が記憶された演出情報記憶手段（例えば、図３に示すＲＯＭ３５６）を備え、前記演出制御手段は、前記演出情報記憶手段を含んで構成されており、前記演出制御手段は、前記演出情報記憶手段に記憶されている複数種類の演出情報から１の前記演出情報を選択する処理（以下、「演出選択処理」という。）を実行可能に構成されていてもよい。また、前記演出選択処理は、乱数抽選に当選した場合に、前記演出情報記憶手段に記憶されている複数種類の演出情報から特定の演出情報を選択する処理であってもよい。また、主制御手段（例えば、図３に示す主制御部３００）を備え、前記演出制御手段は、前記主制御手段からのコマンドに応じて、前記演出手段に演出を行わせるように構成されていてもよい。また、前記演出制御手段は、複数の制御基板（例えば、図４に示すサブ基板１６４や各種照明基板）から構成されていてもよい。また、図柄の変動表示を実行可能な図柄表示手段（例えば、図１に示す特図表示装置１１４）と、前記図柄表示手段による図柄の変動表示の開始の際に、装飾図柄の変動表示を開始する装飾図柄表示手段（例えば、図１に示す装飾図柄表示装置１１０）と、を備え、前記演出手段とは、前記装飾図柄表示手段のことであってもよい。
また、本例に係る遊技台は、複数のＬＥＤ（以下、「表示手段」という。例えば、枠ランプ）と、前記表示手段を少なくとも制御する第二の制御手段（例えば、演出制御部３５０）と、を備えた遊技台であって、前記遊技台は、ぱちんこ機（例えば、パチンコ機１００）、または、スロットマシンであり、前記第二の制御手段は、第一の実行条件の成立があった場合（例えば、枠ランプレイヤ２に対応する区分情報が通常情報の場合）に、複数のＬＥＤ点灯制御データのうちの一のＬＥＤ点灯制御データ（以下、「第一のＬＥＤ点灯制御データ」という。例えば、枠ランプレイヤ１に対応する制御データ）を用いて前記表示手段の表示態様を変化させる制御（以下、「第一の制御」という。）を実行可能な手段であり、前記複数のＬＥＤ点灯制御データにおけるそれぞれのＬＥＤ点灯制御データは、前記表示手段のそれぞれのＬＥＤの点灯態様が定義されたデータであり、前記第二の制御手段は、前記第一のＬＥＤ点灯制御データを進行させる制御（以下、「第一の進行制御」という。）を実行可能な手段であり、前記第二の制御手段は、第二の実行条件の成立があった場合（例えば、枠ランプレイヤ２に対応する区分情報が通常情報以外の情報の場合）に、複数のＬＥＤ点灯制御データのうちの一のＬＥＤ点灯制御データ（以下、「第二のＬＥＤ点灯制御データ」という。例えば、枠ランプレイヤ２に対応する制御データ）を用いて前記表示手段の表示態様を変化させる制御（以下、「第二の制御」という。）を実行可能な手段であり、前記第二の制御手段は、前記第二のＬＥＤ点灯制御データを進行させる制御（以下、「第二の進行制御」という。）を実行可能な手段であり、前記第一の制御を実行中の前記第二の制御手段は、前記第二の実行条件の成立があった場合に、該第一の制御を行わず、前記第二の制御および前記第二の進行制御を開始し、前記第一の進行制御を継続可能な手段であり、前記第二の実行条件の成立要件は、扉が開放されたと判定された際に充足される要件である、ことを特徴とする遊技台である。